(57)【要約】      （修正有）【課題】ペンを着脱する際に樹脂シートの表側上縁（上端部）に加わる力が熱溶着部の上縁に集中するのを防ぎ、ペンホルダーが樹脂シートとの溶着部から剥がれ難くかつ切れにくくしてその耐久性を向上させ、ペンホルダーにペンを保持しない時には表紙カバーの内側に入れて持ち運びの邪魔にならないようにすることができるペンホルダーと、このペンホルダーを設けた表紙カバーを提供する。【解決手段】表紙カバー１２の開閉側縁部と平行な折り線部で折り返してその両端縁を重ねて表紙カバー１２の内側から開閉側縁部に帯状樹脂シート１６を熱溶着する。折り返した帯状樹脂シート１６の表側と裏側との間にペン３２を上方から挿入可能にし、帯状樹脂シート１６の表側上縁に折り線部および熱溶着部３０から離れて上方に向かって開く切り欠き部２０を設ける。【選択図】図５
2014012414.tif 000002
【特許請求の範囲】
【請求項１】
複数のページ紙を綴じたノート状冊子に装着される樹脂製の表紙カバーに設ける樹脂製のペンホルダーであって、
前記表紙カバーの開閉側縁部と平行な折り線部で折り返されその両端縁を重ねて前記表紙カバーの内側から開閉側縁部に熱溶着される帯状樹脂シートを備え、折り返した前記帯状樹脂シートの表側と裏側との間にペンを上方から挿入可能にすると共に、前記帯状樹脂シートの表側上縁に前記折り線部および熱溶着部から離れて上方に向かって開く切り欠き部が形成され、この切り欠き部に前記ペンのクリップを係止可能としたことを特徴とするペンホルダー。
【請求項２】
切り欠き部は、上方に向かって開口幅が次第に増大する円弧状である請求項１のペンホルダー。
【請求項３】
前記帯状樹脂シートは、表紙カバーをシート状素材から型抜きするための熱溶断加工によって前記表紙カバーに熱溶着されている請求項１のペンホルダー。
【請求項４】
帯状樹脂シートの切り欠き部を含む表側上縁に、補強のための熱加工が施されている請求項１のペンホルダー。
【請求項５】
帯状樹脂シートの裏側下縁には、上縁側へ切り込まれた切り欠き部が形成されている請求項１のペンホルダー。
【請求項６】
帯状樹脂シートには、切り欠き部の底部に近接しかつ表紙カバーとの熱溶着部に向かって水平に延びる補強部が形成されている請求項１のペンホルダー。
【請求項７】
表紙カバーはノート状冊子と別体であって、ノート状冊子に着脱可能である請求項１のペンホルダー。
【請求項８】
表紙カバーはノート状冊子に予め接着され、ノート状冊子と一体である請求項１のペンホルダー。
【請求項９】
請求項１に記載されたペンホルダーを備えることを特徴とするペンホルダー付き表紙カバー。
【発明の詳細な説明】
【技術分野】
【０００１】
この発明は、手帳などのノート状冊子に装着される表紙カバーに固定するペンホルダーと、このペンホルダーを設けたペンホルダー付きの表紙カバーとに関するものである。
【背景技術】
【０００２】
複数のページ紙（用紙、紙葉）を綴じた手帳、ノート、家計簿などのノート状冊子では、表紙の汚れや傷みを防止し耐久性を上げるために樹脂製の表紙カバーを取り付けることが広く行われている。例えばノート状冊子と別体の表紙カバーを、ノート状冊子に装着可能にしたものがある。この場合、その両端をノート状冊子の表紙および裏表紙の開閉側縁部が挿入可能な袋状として、冊子の綴じ部と表紙および裏表紙を覆うように装着する。またノート状冊子の表紙および裏表紙に予め接着して一体化した表紙カバーがある。
【０００３】
手帳やノート、家計簿などではペンなどの筆記用具を用いることが多いことを考慮して、表紙カバーに筆記具を保持するためのホルダー（ペンホルダー）を設けることも従来から広く行われている。
【０００４】
特許文献１には、帯状の樹脂シートを折り返してその両端部を表紙カバーの外縁部に高周波ウェルダーを用いて熱溶着するペンホルダーが開示されている。この場合折り返した帯状樹脂シートの間にできる略筒状の開口部に上方からペンを差し込んで、ペンのクリップを樹脂シートの上縁に係止するものである。また特許文献２には、合成樹脂シートを筒状に丸めてその両端縁で表紙カバーの縁部を前後から挟んで接着固定するものが示されている。この場合には合成樹脂シートの筒状部分は、ペンを固定していない時にも表紙カバーの外側に突出することになる。
【先行技術文献】
【特許文献】
【０００５】
【特許文献１】実用新案登録第３１７０２７５号公報
【特許文献２】特開２００２−３７０４９０号公報
【発明の概要】
【発明が解決しようとする課題】
【０００６】
特許文献１のものでは、ペンホルダーにペンを挿入する時には、樹脂シートの折り重なった上縁をペンで押し開くことになるが、この時に樹脂シートには表紙カバーへの固着部に大きな押し開き力が集中して加わることになる。このため樹脂シートと表紙カバーとの固着部が破損して切れやすいという問題がある。
【０００７】
そこでこの特許文献１の発明では、樹脂シートと表紙カバーとを高周波ウェルダーを用いて熱溶着することを前提として、樹脂シートの表側と裏側の重合部分（重ね部）を上下にずらしたものである。すなわち樹脂シートの表側上縁を溶着部に向かって次第に高くなるようになだらかな傾斜面とし、表側上縁部を裏側の上縁部よりも下方にずらすことにより、両上縁部が重なることによる熱溶着強度の低下を防ぐものである。両上縁部が重なると熱溶着部の上端が厚くなり、この重合部の上縁部の表紙カバーに対する溶着強度が低下するからである。
【０００８】
しかしこのようにしても樹脂シートはその溶着部上縁で表紙カバーから剥がれ易く、ペンホルダーの耐久性が低下するという問題が依然として残ると考えられる。その理由は、樹脂シートの表側上縁を溶着部に向かってなだらかに高くなる傾斜面としているので、ペンを差す時に樹脂シートの表側上縁を手前側（表紙カバーから離す向き）に開く力がこの傾斜面により溶着部上端に集中的に加わるからである。
【０００９】
特許文献２のものでは、ペンホルダーが常時表紙カバーの外側に突出することになり、ポケットなどに当たって邪魔になり、持ち運びに不便であった。
【００１０】
この発明はこのような事情に鑑みなされたものであり、表紙カバーに熱溶着するペンホルダーであって、ペンを着脱する際に樹脂シートの表側上縁（上端部）に加わる力、すなわちペンが樹脂シートの表側を手前側に押し開く力が、熱溶着部の上縁に集中するのを防ぎ、ペンホルダーが樹脂シートとの溶着部から剥がれ難くかつ切れにくくしてその耐久性を向上させ、ペンホルダーにペンを保持しない時には表紙カバーの内側に入れて持ち運びの邪魔にならないようにすることができるペンホルダーを提供することを第１の目的とする。またこのペンホルダーを設けた表紙カバーを提供することを第２の目的とする。
【課題を解決するための手段】
【００１１】
この発明によれば第１の目的は、複数のページ紙を綴じたノート状冊子に装着される樹脂製の表紙カバーに設ける樹脂製のペンホルダーであって、前記表紙カバーの開閉側縁部と平行な折り線部で折り返されその両端縁を重ねて前記表紙カバーの内側から開閉側縁部に熱溶着される帯状樹脂シートを備え、折り返した前記帯状樹脂シートの表側と裏側との間にペンを上方から挿入可能にすると共に、前記帯状樹脂シートの表側上縁に前記折り線部および熱溶着部から離れて上方に向かって開く切り欠き部が形成され、この切り欠き部に前記ペンのクリップを係止可能としたことを特徴とするペンホルダー、により達成される。
【００１２】
また第２の目的は、請求項１に記載されたペンホルダーを備えることを特徴とするペンホルダー付き表紙カバー、により達成される。
【発明の効果】
【００１３】
帯状樹脂シートの表側上縁に、折り線部および熱溶着部から離れて上方に向かって開く切り欠き部を形成したから、帯状樹脂シートの表側と裏側の間にペンを挿入した時に表側の上縁を手前側に押し開く力は、切り欠き部の底付近から樹脂シートの左右両側に伝わる。従ってこの押し開く力の大部分は、表紙カバーの溶着部の上縁よりも下方、すなわち切り欠き部の底付近の高さで溶着部に加わるが、この位置は溶着部の長手方向の途中であるから溶着強度は十分に大きく、樹脂シートは表紙カバーから剥がれることはない。
【００１４】
また表側の切り欠き部は、折り線部および溶着部から離れているので、ペンが押し開く力が一時的に切り欠き部の上部付近に加わっても、この力は切り欠き部の上部を左右方向に開くことによって吸収されるから溶着部の上縁に加わる力は過大にならず小さくなる。このため溶着部の上端に力が集中せず、溶着部の耐久性を向上させることができる。
【００１５】
このペンホルダーは、帯状樹脂シートを折り返してその両端を重ね、この重ねた部分が表紙カバーの内側から表紙カバーの縁に熱溶着（熱圧着）されるから、ペンを保持しない時には樹脂シートは扁平になり、表紙カバーの縁よりも内側に折りたたむことができる。このため持ち運ぶ際にペンホルダーが表紙カバーから外側へ突出せず、ポケットや鞄に収納する際に邪魔になることがない。
【図面の簡単な説明】
【００１６】
【図１】この発明に係るペンホルダー付きの手帳を示す図
【図２】同じくその一部の拡大図
【図３】帯状樹脂シートの展開図
【図４】帯状樹脂シートの折り返し状態を示す図
【図５】ペンの装填状態を示す説明図
【図６】熱溶断工程の説明図
【図７】ペンホルダーの他の実施例を示す図
【図８】ペンホルダーの溶着構造の他の例を示す図
【図９】ペンホルダーの溶着構造の他の例を示す図
【発明を実施するための形態】
【００１７】
この発明において熱溶着は、高周波加熱、超音波加熱、加熱したローラやコテを当てることにより溶着、固着、接着するものを含む。表紙カバーはノート状冊子と別体としてノート状冊子に着脱可能とすることができるが、表紙カバーはノート状冊子に予め接着して一体化したものであっても良い（請求項７、８）。切り欠き部は上方に向かって開口幅が次第に大きくなる略円弧状とすることができる（請求項２）。円弧状に代えて、上方が開いた適切な幅の長溝状、Ｕ字状などであっても良い。
【００１８】
表紙カバーを、シート状素材から玉縁加工やガング刃加工などの熱溶断加工によって型抜きする場合には、帯状樹脂シートはこの熱溶断加工と同時に表紙カバーに熱溶着すれば、ペンホルダーの表紙カバーへの固定が容易で製作工程数を減らすことができる（請求項３）。
【００１９】
帯状樹脂シートの切り欠き部を含む表側（手前側）の上縁に、玉縁加工やガング刃加工などによる補強のための熱加工を施しておけば、ペンホルダーの強度を増大でき、耐久性を向上できる（請求項４）。この場合に、帯状樹脂シートの切り欠き部を含む表側および裏側の上下両縁に玉縁加工やガング刃加工などの熱加工を施しておけば、強度を一層増大でき耐久性を一層向上できる。
【００２０】
帯状樹脂シートの裏面下縁には、上縁側へ切り込まれた切り欠き部を形成しておいても良い（請求項５）。この場合には、折り線部で折り返した樹脂シートを表紙カバーに溶着する際に、樹脂シートの上下方向を考慮する必要がなくなり、製作時の作業性が向上する。
【００２１】
この発明は、切り欠き部の底付近にペンのクリップを保持する際に帯状樹脂シートに加わる力（環状に折った帯状樹脂シートを押し開く力）をほぼ水平に溶着部に伝えるものであるから、切り欠き部の底部付近に沿って表紙カバーとの固着部に向かってほぼ水平に延びる補強部を形成しておけば、樹脂シートの伸びを防ぐことができ、ペンホルダーの耐久性をさらに向上させることができる（請求項６）。この補強部は他の熱加工を加えたり、他のテープ状補強部材を重ねて溶着することで形成することができる。
請求項９の発明によれば、このペンホルダーを設けた表紙カバーが得られる。
【実施例１】
【００２２】
図１において、符号１０は複数のページ紙（用紙、紙葉）を綴じたノート状冊子であり、メモ帳、手帳、ノート、家計簿などである。このノート状冊子１０には表紙カバー１２が取り付けられている。表紙カバー１２はノート状冊子１０の表紙および裏表紙に接着固定して一体化したものであっても良いが、両者を別体にして表紙カバー１２をノート状冊子１０に装着するものであっても良い。例えば、表紙カバー１２の開閉縁側にノート状冊子１０の表紙および裏表紙を入れるポケットを形成しておく。表紙カバー１２は、後記する玉縁加工やガング刃加工用の溶断工具を用い、シート状素材から外周縁を高周波加熱により溶断し、型抜き加工される。
【００２３】
図１、２において１４はペンホルダーである。このペンホルダー１４は、図３に示す帯状樹脂シート１６を折り線１８で折り返し、その両端縁を重ねてこの重ね部１９を表紙カバー１２の内側から表紙カバー１２の縁（開閉側の縁）に重ねて固着（熱溶着）したものである。ここに帯状樹脂シート１６は、塩化ビニール樹脂などの柔軟性を持つ樹脂シートをその長手方向を水平に置いた時に、その中央に縦方向の折り線１８を型押しにより形成し、この折り線１８の右側（表側）の上縁に半円弧状の切り欠き部２０を、この折り線１８の左側（裏側）の下縁に、半円弧状の切り欠き部２２をそれぞれ形成したものである。ここに折り線１８は、高周波加熱などで形成できる。
【００２４】
この帯状樹脂シート１６の外形加工は、切り欠き部２０、２２を含めて高周波加熱による熱溶断加工により行うことができる。この時熱溶断加工を後記する玉縁加工やガング刃加工で行うことにより、外形加工の縁に補強のための熱加工部２４、２６を形成しておく。この帯状樹脂シート１６は、その重ね部１９を表紙カバー１２の縁に重ね、表紙カバー１２の外形を加工すると同時に表紙カバー１２と帯状樹脂シート１６を熱溶着することができ、加工能率がよい。
【００２５】
この樹脂シート１６は、折り線１８を中心にして図３の左側（裏側）１６Ｂを右側（表側）１６Ａの下に折り込んで図４のように折り重ね、その開放端縁を重ねてこの重ね部１９を表紙カバー１２の開閉側縁部の内側に重ね、表紙カバー１２の縁と共に例えば玉縁加工される。図２において２８はこの表紙カバー１２に加工される玉縁加工部を示し、その一部がペンホルダー１４を表紙カバー１２に固着する溶着部（固着部）３０となっている。この結果樹脂シート１６は表紙カバー１２の縁に内側へ延びるように熱溶着される。
【００２６】
このようにペンホルダー１４を取り付けた表紙カバー１２にペン３２を保持する時には、指先で樹脂シート１６の折り線１８と溶着部３０とを挟んで表側と裏側とを押し開き、この間に上方からペン３２の軸端側を挿入する。そしてペン３２のクリップ３４を切り欠き部２０に上方から深く挿入して保持する。
【００２７】
図５において（Ａ）はペン挿入時の正面図、（Ｂ）は同じく右側面図である。この時には樹脂シート１６の裏側１６Ｂはページ紙に接触しているから、ペン３２は主として樹脂シート１６の表側１６Ａを押し開くことになり、その時の押し開く力は切り欠き部２０の底Ａからほぼ水平方向の力Ｆとなって樹脂シート１６に伝わり、溶着部３０のほぼ同じ高さの位置Ｂにこの力Ｆが伝わる。この時力Ｆの一部が切り欠き部２０の円弧状の下縁に沿って上方に伝わるが、切り欠き部２０の上端Ｃ、Ｃは表側１６Ａの溶着部３０から離れているので、この力はこの上端Ｃ、Ｃを左右に開くことで吸収される。このため、溶着部３０の上端Ｄから樹脂シート１６の表側１６Ａが溶着部３０から剥がれることは防止される。
【００２８】
次に玉縁加工とガング刃加工により表紙カバー１２や帯状樹脂シート１６の外形をシート状素材から型抜き形成するための熱溶断工程について説明する。図６はこの溶断工程の説明図である。この熱溶断加工では、高周波加熱を用いている。図６の（Ａ）はガング刃を用いた工程を、（Ｂ）は玉縁加工の工程を示している。
図６（Ａ）において、符号４０は導電性の下敷き板、４２は導電性のガング刃である。ガング刃４２は下端面が傾斜面４４となり、この傾斜面４４の先端（下端）が刃先４６となる（同図（ａ）参照）。
【００２９】
この刃先４６と下敷き板４０との間に、傾斜面４４が表紙カバー１２の内側に来るように、前記の表紙カバー１２のシート状素材１２Ａとペンホルダー１４となる帯状樹脂シート１６の重ね部１９（図２）とを重ねて保持し（同図（ｂ）参照）、刃先４６と下敷き板４０との間に高周波電圧を印加する。この結果、ガング刃４２と下敷き板４０との間に挟まれたシート状素材１２Ａと帯状樹脂シート１６の重ね部１９との間に高周波電流が流れ、これらが発熱して溶融する。冷却してからガング刃４２を引き上げることにより熱溶断と熱溶着を同時に行うことができる（同図（ｃ）参照）。なおここに用いるシート状素材１２Ａと帯状樹脂シート１６は高周波加熱が可能な材料であることが必要であり、例えばビニール樹脂、ポリオレフィン樹脂などが適する。
【００３０】
図６（Ｂ）において５０は玉縁加工用電極であり、この電極５０は、先端（下端）が断面略Ｕ字状になった溶着部５２と、この溶着部５２の側面に固定した溶断刃５４とを有する。溶断刃５４の先端は溶着部５２から僅かに離れて溶着部５２よりも下方に延びている。従って、この電極５０の溶断刃５４を下敷き板４０に載せた表紙カバー１２の素材１２Ａの外縁と帯状樹脂シート１６の重ね部１９とに位置合わせし（同図（ａ）参照）、下降させて高周波電圧を印加すれば、溶着部５２の先端（下端）が素材１２Ａと帯状樹脂シート１６の外縁近傍内側を溶融し、この外縁に沿って溝５６を形成する（同図（ｂ）参照）。そしてさらに電極５０を下降させれば、溶断刃５４がこれらの素材１２Ａと帯状樹脂シート１６の外縁を溶断する（同図（ｃ）参照）。
【実施例２】
【００３１】
図７に示す実施例は、図５において説明したように、ペン３２を装填した時に樹脂シート１６の上面１６Ａに加わる引っ張り方向の力Ｆが、ほぼ水平に伝わって、溶着部３０の上端Ｄより低い位置Ｂに加わることに鑑み、この力Ｆが伝わる経路に沿って補強部６０を設けたものである。この補強部６０は例えば、切り欠き部２０の底付近を通り樹脂シート１６の長さ方向に延びる水平線に沿って型押し線を設けたり、図示しない他の紐状あるいはテープ状の樹脂材料などを熱圧着することにより形成することができる。
【００３２】
ここに型押し線（補強部６０）は前記折り線１８の加工と同時に加工することができるから加工工程が増えることもない。なお図７では、前記図３の一部を省いて示し、また同一部分に同一符号を付したからその説明は繰り返さない。
【実施例３】
【００３３】
図８に示す実施例は、帯状樹脂シート１６の重ね部１９を二重に溶着したいわゆるダブルウェルダ構造を示す。すなわち、帯状樹脂シート１６の重ね部１９に、表紙カバー１２の外縁より内側に外縁から離れた溶着部６２を外縁と平行に形成したものである。この溶着部６２の加工は、前記図６で説明した表紙カバー１２外周の溶断加工の後で、さら外周と同様な溶着部を溝状に形成すればよい。なおこの図で６４は表紙カバー１２の外周となる溶断線を示し、図６（Ｂ）の玉縁加工による場合には、その溶断溝５６が現れている。
【実施例４】
【００３４】
図９に示す実施例は、帯状樹脂シート１６の重ね部１９を表紙カバー１２に幅広の加熱用の電極などで加熱することにより、幅広の溶着部６６を形成し、この溶着部６６を溶断線６４が縦断するように表紙カバー１２の外形を溶断加工したものである。この実施例によればペンホルダー１４の溶着部６６の面積が拡大でき、ペンホルダー１４側の溶着強度を増大することができる。ここに溶着部６６は、ペンホルダー１４のペン挿入穴側に半月状に膨出している。このため挿入したペンが、挿入穴内で安定するという効果が得られるものである。この場合の溶断線６４は図６のガング刃４２による加工とすることができる。
【符号の説明】
【００３５】
１０  ノート状冊子
１２  表紙カバー
１４  ペンホルダー
１６  帯状樹脂シート
１８  折り線
１９  重ね部
２０、２２  切り欠き部
２４、２６、２８  熱加工部（玉縁加工部）
３０  溶着部  
３２  ペン
３４  クリップ
４２  ガング刃
５０  玉縁加工用電極
６０  補強部
【図１】
2014012414.tif 000003
【図２】
2014012414.tif 000004
【図３】
2014012414.tif 000005
【図４】
2014012414.tif 000006
【図５】
2014012414.tif 000007
【図６】
2014012414.tif 000008
【図７】
2014012414.tif 000009
【図８】
2014012414.tif 000010
【図９】
2014012414.tif 000011